【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
ポリウレタンポリマーの全重量に基づき３５重量％〜９０重量％のポリ（Ｃ２−４−アルキレンオキシド）を含むポリウレタンポリマーであって、該ポリ（Ｃ２−４−アルキレンオキシド）の６０重量％以上がポリ（エチレンオキシド）であり、該ポリウレタンポリマーの全重量に基づき少なくとも５％のポリ（Ｃ２−４−アルキレンオキシド）が側鎖に組み込まれており、そして、該ポリウレタンポリマーが３５〜４５重量％のポリ（アルキレンオキシド）を含有するときに、ポリウレタン１００ｇあたり１０〜１８０ミリ当量の酸基を含有する、前記ポリウレタンポリマー。
【請求項２】
請求項１に記載のポリマーであって、該ポリマーが４５重量％以上のポリ（アルキレンオキシド）を含有するときに、ポリウレタンポリマー１００ｇあたり１０〜１８０ミリ当量の酸基を含む、前記ポリマー。
【請求項３】
請求項１または請求項２のいずれか一項に記載のポリマーであって、ポリ（Ｃ２−４−アルキレンオキシド）の量が該ポリマーの全重量に基づき５０％以上かつ７０％以下である、前記ポリマー。
【請求項４】
ポリウレタン主鎖の側部または末端に付着しているポリ（アルキレンオキシド）鎖の数平均分子量が３５０〜２５００である、請求項１〜３のいずれか一項に記載のポリマー。
【請求項５】
請求項１〜４のいずれか一項に記載のポリウレタンポリマーであって、
ａ）２．０〜２．５の平均官能価を有する１種以上のポリイソシアネート；
ｂ）少なくとも１本の（Ｃ２−４−アルキレンオキシド）鎖と、イソシアネートと反応する少なくとも２個の基とを有する１種以上の化合物、ここにおいて、該基は、該化合物の一端に位置しており、これによりポリ（Ｃ２−４−アルキレンオキシド）鎖は、ポリウレタンポリマー主鎖に関し側部に配置される；
ｃ）所望により、少なくとも１個の酸基およびイソシアネートと反応する少なくとも２個の基を有する１種以上の化合物；
ｄ）所望により、イソシアネートと反応する少なくとも２個の基を有し３２〜３０００の数平均分子量を有する１種以上の形成性化合物；
ｅ）所望により、イソシアネート基と反応する１個の基を含有し連鎖停止剤として作用する１種以上の化合物；
ｆ）所望により、単一のイソシアネート基を含有し連鎖停止剤として作用する１種以上の化合物、
を一緒に反応させることにより得ることができる、前記ポリウレタンポリマー。
【請求項６】
成分（ｂ）が式１の化合物である、請求項５に記載のポリウレタン
【化１】
2005510600.tif 000001
［式中、
Ｒは、Ｃ１−２０−ヒドロカルビルであり；
Ｒ１は、水素、メチルまたはエチルで、その６０％以上が水素であり；
Ｒ２およびＲ３はそれぞれ、独立してＣ１−８−ヒドロキシアルキルであり；
Ｚは、Ｃ２−４−アルキレンであり；
Ｘは、−Ｏ−または−ＮＨ−であり；
Ｙは、ポリイソシアネートの残基であり；
ｍは、５〜１５０であり；
ｐは、１〜４であり；そして
ｑは、１または２である］。
【請求項７】
成分（ｂ）が式２の化合物である、請求項５に記載のポリマー
【化２】
2005510600.tif 000002
［式中、
Ｒ、Ｒ１、Ｚおよびｍは、請求項６（？？？）で定義したとおりであり；
Ｒ４は、イソシアネート−反応性有機ラジカルであり；
Ｒ５は、水素またはイソシアネート−反応性ラジカルであり；そして
ｎは０または１である］。
【請求項８】
成分（ｂ）が式３の化合物である、請求項５に記載のポリウレタン
【化３】
2005510600.tif 000003
［式中、
Ｒ、Ｒ１およびｍは、請求項６で定義したとおりであり；そして
Ｗは、Ｃ２−６−アルキレンである］。
【請求項９】
成分（ｂ）が式４の化合物である、請求項５に記載のポリウレタン
【化４】
2005510600.tif 000004
［式中、
Ｒ、Ｒ１、Ｚおよびｍは、請求項６で定義したとおりであり；
Ｒ７は、水素、ハロゲン、またはＣ１−４アルキルであり；
Ｑは、二価の電子吸引基であり；
Ｔは、置換基を持つかヘテロ原子を含有していてもよい二価の炭化水素ラジカルであり；そして
ｎは、０または１である］。
【請求項１０】
成分（ｂ）を、２モルのポリ（アルキレンオキシド）モノアルキルエーテルモノアミンを１モルの式５の化合物と反応させることにより得ることができる、請求項９に記載のポリウレタン
【化５】
2005510600.tif 000005
［式中、Ｒ７、ＱおよびＴは、請求項９で定義したとおりである］。
【請求項１１】
成分（ｂ）が式６の化合物である、請求項５に記載のポリウレタン
【化６】
2005510600.tif 000006
［式中、ｒは４〜１００である］。
【請求項１２】
成分（ｃ）が式７の化合物である、請求項７〜１１のいずれか一項に記載のポリウレタン
【化７】
2005510600.tif 000007
［式中、Ｒ８、Ｒ９およびＲ１０基の少なくとも２種はＣ１−６−ヒドロキシアルキルで、残りはＣ１−６−ヒドロカルビルであり、そしてＭは、水素、アルカリ金属カチオン、アンモニウムまたは第四級アンモニウムカチオンである］。
【請求項１３】
数平均分子量が２０００以上かつ５００００以下である、請求項１〜１２のいずれか一項に記載のポリウレタンポリマー。
【請求項１４】
粒子固体、極性液体、および請求項１〜１３のいずれか一項に記載のポリウレタンポリマーを含む、分散系、練り顔料、塗料またはインク。
【請求項１５】
極性液体が、最高６０重量％の水溶性極性有機液体を含有していてもよい水である、請求項１４に記載の分散系、練り顔料、塗料またはインク。
【手続補正２】
【補正対象書類名】明細書
【補正対象項目名】０３０７
【補正方法】変更
【補正の内容】
【０３０７】
【表５９】
2005510600.tif 000008
その後、インク配合物のそれぞれを、Epson 980印刷機により普通紙に印刷した。各インクに関し、印刷性能および印刷品質は優れていた。
［本発明の態様］
［１］
ポリウレタンポリマーの全重量に基づき３５重量％〜９０重量％のポリ（Ｃ２−４−アルキレンオキシド）を含むポリウレタンポリマーであって、該ポリ（Ｃ２−４−アルキレンオキシド）の６０重量％以上がポリ（エチレンオキシド）であり、該ポリウレタンポリマーの全重量に基づき少なくとも５％のポリ（Ｃ２−４−アルキレンオキシド）が側鎖に組み込まれており、そして、該ポリウレタンポリマーが３５〜４５重量％のポリ（アルキレンオキシド）を含有するときに、ポリウレタン１００ｇあたり１０〜１８０ミリ当量の酸基を含有する、前記ポリウレタンポリマー。
［２］
１に記載のポリマーであって、該ポリマーが４５重量％以上のポリ（アルキレンオキシド）を含有するときに、ポリウレタンポリマー１００ｇあたり１０〜１８０ミリ当量の酸基を含む、前記ポリマー。
［３］
酸基がカルボン酸基である、１または２のいずれか一項に記載のポリウレタンポリマー。
［４］
１または２のいずれか一項に記載のポリマーであって、ポリ（Ｃ２−４−アルキレンオキシド）の量が該ポリマーの全重量に基づき５０％以上かつ７０％以下である、前記ポリマー。
［５］
ポリウレタン主鎖の側部または末端に付着しているポリ（アルキレンオキシド）鎖の数平均分子量が３５０〜２５００である、１〜４のいずれか一項に記載のポリマー。
［６］
ポリウレタンポリマー１００ｇあたり２０ミリ当量以上かつ６０ミリ当量以下の酸基を含有する、１〜５のいずれか一項に記載のポリウレタンポリマー。
［７］
１〜６のいずれか一項に記載のポリウレタンポリマーであって、
ａ）２．０〜２．５の平均官能価を有する１種以上のポリイソシアネート；
ｂ）少なくとも１本の（Ｃ２−４−アルキレンオキシド）鎖と、イソシアネートと反応する少なくとも２個の基とを有する１種以上の化合物、ここにおいて、該基は、該化合物の一端に位置しており、これによりポリ（Ｃ２−４−アルキレンオキシド）鎖は、ポリウレタンポリマー主鎖に関し側部に配置される；
ｃ）所望により、少なくとも１個の酸基およびイソシアネートと反応する少なくとも２個の基を有する１種以上の化合物；
ｄ）所望により、イソシアネートと反応する少なくとも２個の基を有し３２〜３０００の数平均分子量を有する１種以上の形成性化合物；
ｅ）所望により、イソシアネート基と反応する１個の基を含有し連鎖停止剤として作用する１種以上の化合物；
ｆ）所望により、単一のイソシアネート基を含有し連鎖停止剤として作用する１種以上の化合物、
を一緒に反応させることにより得ることができる、前記ポリウレタンポリマー。
［８］
成分（ａ）がジイソシアネートである、７に記載のポリウレタン。
［９］
成分（ｂ）が式１の化合物である、７または８のいずれか一項に記載のポリウレタン
［１０］
Ｚがエチレンであり、Ｒ１が水素であり、Ｘが−Ｏ−であり、ｐおよびｑが両方とも１である、９に記載のポリウレタン。
［１１］
Ｒ２およびＲ３が両方ともヒドロキシエチルである、９または１０のいずれか一項に記載のポリウレタン。
［１２］
成分（ｂ）が式２の化合物である、７または８のいずれか一項に記載のポリマー
［１３］
ｎが０であり、Ｚが１，２−プロピレンであり、Ｒ４が２−ヒドロキシエチルであり、Ｒ５が水素である、１２に記載のポリウレタン。
［１４］
ｎが０であり、Ｚが１，２−プロピレンであり、Ｒ４およびＲ５が両方とも２−ヒドロキシエチルである、１２に記載のポリウレタン。
［１５］
成分（ｂ）が式３の化合物である、７または８のいずれか一項に記載のポリウレタン
［１６］
成分（ｂ）が式４の化合物である、７または８のいずれか一項に記載のポリウレタン
［１７］
成分（ｂ）を、２モルのポリ（アルキレンオキシド）モノアルキルエーテルモノアミンを１モルの式５の化合物と反応させることにより得ることができる、１６に記載のポリウレタン
［１８］
成分（ｂ）が式６の化合物である、７または８のいずれか一項に記載のポリウレタン
［１９］
成分（ｃ）が式７の化合物である、７〜１８のいずれか一項に記載のポリウレタン
［２０］
数平均分子量が２０００以上かつ５００００以下である、１〜１９のいずれか一項に記載のポリウレタンポリマー。
［２１］
粒子固体、極性液体、および１〜２０のいずれか一項に記載のポリウレタンポリマーを含む、分散系。
［２２］
粒子固体、極性液体、被膜形成性樹脂、および１〜２０のいずれか一項に記載のポリウレタンポリマーを含む、練り顔料。
［２３］
粒子固体および１〜２０のいずれか一項に記載の分散剤を含む組成物。
［２４］
粒子固体、極性液体、被膜形成性樹脂、および１〜２０のいずれか一項に記載のポリウレタンポリマーを含む、塗料またはインク。
［２５］
極性液体が、最高６０重量％の水溶性極性有機液体を含有していてもよい水である、２１、２２および２４に記載の分散系、練り顔料、塗料またはインク。
［２６］
顔料、極性液体、および１〜２０のいずれか一項に記載のポリウレタンである分散剤を含む、インクジェット印刷用インク。
［２７］
２６に記載のインクジェット印刷用インクを含有するカートリッジ。